(57)【特許請求の範囲】
【請求項１】
箱状の装置本体１と、この装置本体１の前面パネル２に格子状に形成された複数個の開口部３と、これらの各開口部３を閉鎖できるように装置本体１内に設けられ、かつ、前面パネル２と略同一垂直面となる前壁４ａを有する複数個の鍵収納体４と、これら各鍵収納体４の後方に縦方向に配設され、かつ、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納体４の後壁４ｂに枢着していることを特徴とする鍵管理装置。
【請求項２】
請求項１に於いて、前記鍵収納体４の底壁が開口４ｄしていることを特徴とする鍵管理装置。
【請求項３】
請求項２に於いて、鍵収納体４の上壁４ｅに所定の鍵Ｋのみを差し込みし得る鍵穴１３を形成したことを特徴とする鍵管理装置。
【請求項４】
箱状の装置本体１Ａと、この装置本体１Ａの前面パネル２Ａに格子状に形成された複数個の開口部３Ａと、これらの各開口部３Ａを閉鎖できるように装置本体１Ａ内に設けられ、かつ、前面パネル２Ａと略同一垂直面となる前壁４ａを有する複数個の鍵収納体４Ａと、これら各鍵収納体４Ａの後方に横方向に配設され、かつ、制御命令信号に基づき極性変換用の各電源を介して駆動すると共に、前記各鍵収納体４Ａをそれぞれ個別的かつ直接的に開閉する複数個の駆動装置６Ａとから成る鍵管理装置とを備え、前記駆動装置６Ａは作動杆１９Ａがモータ本体の軸芯方向に進退動するマグネットモータであり、その作動杆１９Ａの先端部１９ａが鍵収納体４Ａの後壁４ｂに枢着しており、また、鍵収納体４Ａの底壁が開口４ｄしていることを特徴とする鍵管理装置。
【発明の詳細な説明】
【０００１】
【産業上の利用分野】
本発明は、マンション、オフィスビル等で各部屋の出入りに使用する鍵を玄関などで集中管理するための鍵管理装置に関する。
【０００２】
【従来の技術】
従来、この種の管理装置としては、実開平５−１４４３７号公報に開示された一例がある。そこで、この実施例の主要部を図１１に示して説明すると次の通りである。
【０００３】
すなわち、５１はケース状の枠体５２の内部フレーム５３に水平軸５４を介して回動可能に設けられた鍵収納体である。この鍵収納体５１は、枠体５２の前面部と略同一垂直面となる前面パネル５１ａと、この前面パネル５１ａの裏面に一体的に設けられたキー収納ポケット部５１ｂとから構成され、前記前面パネル５１ａの下部が水平軸５４に軸支されている。したがって、鍵収納体５１は次に説明する駆動源により、水平軸５４を中心にして前面パネル５１ａの手前側へ回転する。
【０００４】
５５はゼンマイなどの駆動源を内蔵した駆動装置で、この駆動装置５５の駆動歯車５５ａは、鍵収納体５１のキー収納ポケット部５１ｂに一体的に設けられた扇状部材５６の従動歯車５６ａに噛合している。
【０００５】
５７は扇状部材５６の後方に位置するように内部フレーム５３の中央部に横設されたロック手段としての電気錠である。この電気錠５７は普通一般のソレノイドが使用され、その作動杆５８は水平方向へ伸縮動し、扇状部材５６の中央部に固設された係合孔を有する係合板５９と係脱する。
【０００６】
しかしながら、上記構成に於いては、次に列挙するような欠点があった。
（１）電気錠５７を単にロック手段として採用しているので、鍵収納体５１を回動させるための駆動装置５５やその動力を受ける扇状部材５６が必要となる。したがって、構成する部品点数が多い。それ故に、製作乃至コスト上の観点から解決すべき問題点がある。
（２）電気錠として、いわゆるソレノイドを使用しているので、その作動杆５８が係合するための係合板５９を設けたり、また作動杆５８が係合板５９と係合（施錠）した状態を検知するための検知手段６０を設けたりしなければならない。したがって、結果的に電気錠の複雑な機構を採用せざるを得ない。
（３）電気錠５７を内部フレーム５３内に横設しているので、枠体５２（内部フレーム５３）の奥行きＤが深くなる。したがって、管理装置の設置スペースを少なくすると言う発明の課題を十分に達成することができない。
（４）駆動装置５５の一例としてゼンマイを使用しているが、故障の要因となる。したがって、修理乃至耐久性の観点から問題が生じ易い。
（５）鍵収納体５１は前面パネル５１ａと、この前面パネルの裏側に設けられたキー収納ポケット部５１ｂとから成るが、前記キー収納ポケット部にゴミが溜まるのみならず、悪戯により異物が投入されると、キーＫそのものを収納することができなくなる。
【０００７】
【発明が解決しようとする課題】
本発明は以上のような従来の欠点に鑑み、構成する部品点数を少なくし、また電気錠の複雑な機構を採用しないで済み、さらに、管理装置の設置スペースを少なくすることができ、加えて、鍵収納体にゴミが溜まらないと共に、悪戯により鍵収納体に異物が投入されても、使用上問題がない鍵管理装置を得ることである。
【０００８】
【課題を解決するための手段】
本発明の鍵管理装置は、箱状の装置本体１と、この装置本体１の前面パネル２に格子状に形成された複数個の開口部３と、これらの各開口部３を閉鎖できるように装置本体１内に設けられ、かつ、前面パネル２と略同一垂直面となる前壁４ａを有する複数個の鍵収納体４と、これら各鍵収納体４の後方に縦方向に配設され、かつ、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納体４の後壁４ｂに枢着していることを特徴とする。
【０００９】
上記構成に於いては、鍵収納体の底壁が開口４ｄしている。また鍵収納体４の上壁４ｅに所定の鍵Ｋのみを差し込みし得る鍵穴１３を形成している。
【００１０】
【作用】
使用者が識別カードを装置本体のカード挿入口に差し込むと、入力装置は識別カードのカード内容を制御装置に送る。制御装置は送られてきた情報信号を判断部に出力する。判断部は当該識別カードが正しければ照合一致が得られたカード内容に対応する鍵収納体を判別し、その判断結果を制御装置に通知する。制御装置はこの判断結果に基づき選定された駆動装置側に駆動信号を出力する。
【００１１】
そうすると、当該駆動装置の当該電源を介して極性が変化して作動杆が伸長し、その結果、鍵収納体は装置本体の外側に所要量回転して前面パネルの開口部が開口する。
【００１２】
そこで、鍵収納体に収納されている鍵を鍵孔から摘み出すことができる。鍵を鍵収納体から取り出すと、鍵収納体は自動的に閉鎖位置へと戻る。
【００１３】
【実施例】
以下、図面に示す実施例により本発明を詳細に説明する。図１ないし図８に示す第１実施例に於いて、１は箱状の装置本体である。この装置本体の奥行きは、概してこの種の装置本体より浅い。２は装置本体１の前面パネルである。この前面パネル２には、右側の一部分を除き、縦長状の開口部３が縦横整列状態（格子状）に形成されている。開口部３の数は、合計５０個あるが、この数は必要に応じて増減可能である。
【００１４】
しかして、装置本体１には、前記各開口部３を閉鎖し、かつ、前面パネル２と略同一垂直面となる前壁を有する複数個の鍵収納体４がそれぞれ回動可能に軸支されている。また装置本体１には、各鍵収納体４を前面パネル２を基準にして当該開口部３を開閉させるために制御命令信号を出力する制御装置５、この制御装置５からの制御命令信号に基づき駆動し、かつ、前記各鍵収納体４をそれぞれ直接に開閉する複数個の駆動装置６などが組み込まれている。さらに、前記制御装置５には、鍵の使用者によって入力（識別カードの挿入、暗証番号の入力操作など）される入力装置の一例としてのカードリーダー７、使用者の当該鍵をどの鍵収納体４に収納すべきかなどを表示する表示部８などが電気的に接続している。
【００１５】
そこで、まず本発明の主要部である鍵収納体４及び駆動装置６について説明する。鍵収納体４は、図１ないし図４で示すように、個々的には縦方向に配設され、いわば前面パネル２に設けられた各鍵収納部用の扉の一部を構成している。
【００１６】
すなわち、鍵収納体４は前面パネル２と略同一垂直面となる前壁４ａを有する縦長状に形成されている。この鍵収納体４は、装置本体１の縦長状開口部３に横軸１１を介して回動可能に軸支されている。鍵収納体４の後壁４ｂは後述する上
壁４ｅと連設しながら垂直方向に延設されているが、前壁４ａより多少短い。また鍵収納体４の左右の側壁４ｃは後壁４ｂよりもさらに短く形成されている。また鍵収納体４の底壁に相当する部分は開口４ｄし、さらに、鍵収納体４の上壁４ｅには所定の鍵Ｋを差し込みし得る鍵穴１３が形成されている。この鍵穴１３は、鍵Ｋの摘み部１４ａと連設する差し込み部１４ｂをガイドする機能を有し、当該鍵Ｋの差し込み部１４ｂの形状（ブレード、ミゾ）が一致しない限り鍵Ｋを通さない。したがって、当該鍵Ｋの差し込み部１４ｂが鍵穴１３と一致すると、鍵Ｋはその摘み部１４ａが鍵収納体４の上壁４ｅから突出するような格好で鍵収納体４に収納される。
【００１７】
駆動装置６は、図２で示すように鍵収納体４の後方に配設され、当該鍵収納体４を回動させるだけではなく、ロックする機能も有する。この駆動装置６の一例としては、作動杆が制御装置にコントロールされながらモータ本体の軸芯方向に進退動するマグネットモータが使用されている。
【００１８】
ところで、このマグネットモータ６の構造を図５を参照に簡単に説明すると、１５は鍵収納体４の後方に位置するように内部フレーム１２に固定的に縦設されたモータ本体である。このモータ本体１５の内周部にはマグネット１６が固定的に内装され、またマグネット１６の内側には筒状の回転子１７が設けられている。１８は回転子１７を支承する中心案内筒で、この中心案内筒１８にはモータ本体１５の軸芯方向に進退動する作動杆１９がスライド可能に嵌挿されている。作動杆１９は、その先端部１９ａが鍵収納体４の後壁４ｂの下部に設けられた突起状のアーム部４ｆを介して適宜に枢着し、駆動装置用電源の極性が切り替わると進退動する。したがって、このマグネットモータ６は、出力軸が回転する一般のモータとは相違し、本来「モータ」と言うべきではないかも知れないが、本明細書では出力軸（作動杆）がモータ本体の軸芯方向に進退動するマグネットタイプの駆動装置を便宜上「マグネットモータ」と称する。なお、前記内部フレーム１２の底壁にはゴミ落下用の開口部１２ａが形成されている。
【００１９】
次に制御装置５について説明する。この制御装置５は、本実施例では装置本体１に適宜に組み込まれているが、必ずしも装置本体１に装着する必要はなく、例えば管理人室などに配設しても良い。
【００２０】
しかして、装置本体１には図７で示すように鍵の使用者によって入力（識別カードの挿入、暗証番号の入力操作など）される入力装置の一例としてのカードリーダー７が電気的に接続している。したがって、装置本体１の前面パネル２の適宜箇所には、入力装置７の位置に対応して識別カード（ＩＤカード、バーコードを有するカードなど）用のカード挿入口２０が設けられている。もちろん、入力装置７の他の例としては、いわゆるテンキーを別個又は併用して設けても良い。
【００２１】
また制御装置５には使用者の当該鍵をどの鍵収納体４に収納すべきか、どの鍵収納体４に収納されているかなどを表示する表示部８などが電気的に接続している。したがって、装置本体１の前面パネル２の適宜箇所には、点灯ランプ２１が鍵収納体４の数に対応して設けられている。さらに、制御装置５には装置本体１の各開口部内３にそれぞれ縦設された各マグネットモータ６が極性変換用の各電源２２を介して電気的に接続している。なお、２３は本装置の作動に必要なプログラムを備えたメモリー部、２４は入力装置７からの入力信号を前記メモリー部の登録情報と比較照合して判別する判断部、２５は使用者が鍵を鍵収納体４から取り出す時当該鍵収納体４を所要時間開いた状態にするタイマー回路である。
【００２２】
次に装置本体１の適宜箇所に設けられた複数個の検知器について説明する。これらの検知器はいずれも前述した制御装置５と電気的に接続している。
【００２３】
まず３１は駆動装置６の作動杆１９の軌道に臨むように内部フレーム１２の上部に配設され、かつ、鍵収納体４の開閉位置を検出する位置検出器である。この位置検出器３１は、本実施例では作動杆１９の突出後端部（図では上部側）１９ｂと接触する２個の接点型のスイッチが採用され、下部位置検出器３１ａは鍵収納体４の閉鎖位置を、一方、上部位置検出器３１ｂは鍵収納体４の開放位置をそれぞれ検出する。
【００２４】
次に３２は鍵収納体４の後壁４ｂの下部側に設けられ、かつ、鍵収納体４に鍵Ｋが入っているか否かを検知する光センサー型の内部検知器である。この内部検知器３２は、本実施例では鍵収納体４の後壁４ｂに形成された縦方向のガイド切欠部３３に臨むように該後壁４ｂの外面に対向的に固定された発光部３４並びに受光部３５と、前記後壁４ｂに適宜に枢支され、かつ、発光部３４並びに受光部３５の間に位置する遮蔽板３６とから成る。そして、前記遮蔽板３６は、その自重により常時鍵収納体４の内部に突出し、かつ、鍵Ｋの差し込み部１４ｂの先端と当接可能な当接片部３６ａと、発光部３４からの光を遮る遮蔽片部３６ｂとから成る。
【００２５】
したがって、この光センサー型の内部検知器３２に於いては、図８で示すように今仮に鍵Ｋを鍵収納体４の鍵穴に差し込むと、遮蔽板３６は鍵Ｋの差し込み部１４ｂの先端に押されながら外方向に回転し、遮蔽板３６の遮蔽片部３６ｂが発光部３４並びに受光部３５から離れる。その結果、スイッチが「ＯＮ」となる。それ故に鍵Ｋを鍵収納体４から抜き取った時は、遮蔽板３６は自重で元の位置に回転して発光部３４並びに受光部３５の間に位置し、スイッチが「ＯＦＦ」になる。なお、位置検出器３１及び内部検出器３２は、接点型、磁気感応型、光センサー型など公知のスイッチ手段を自由に選択することができる。
【００２６】
上記構成に於いて、使用者が鍵収納体４に収納されている鍵Ｋを取り出す一態様について説明する。
【００２７】
まず使用者は識別カードを装置本体１のカード挿入口２０に差し込む。そうすると、入力装置７は識別カードのカード内容（識別情報）を制御装置５に送る。制御装置５は送られてきた情報信号を判断部２４に出力する。判断部２４は各鍵収納体４に対応して予めメモリー部２３に設定登録された登録情報と入力装置としてのカードリーダー７により読み取られたカード内容（識別情報）とを比較照合し、当該識別カードが正しければ照合一致が得られたカード内容に対応する鍵収納体４を判別し、その判断結果を制御装置５に通知する。制御装置５はこの判断結果に基づき選定されたマグネットモータ６側に駆動信号を出力する。そうすると、当該マグネットモータ６は当該電源２２を介して極性が変化し、その作動杆１９は伸長する。
【００２８】
次にマグネットモータ６の作動杆１９が伸長すると、図６で示すように鍵収納体４は横軸１１を支点に装置本体１の外側に所要量（実施例では２５度）回転する。これにより前面パネル１の開口部３が開口する。この時当該鍵収納体４を所要時間開いた状態にするタイマー回路２５がスタートする。
【００２９】
そこで、使用者は鍵収納体４の鍵穴１３からから指で鍵Ｋを摘み出すように抜く。この様に使用者が鍵Ｋを鍵収納体４から取り出した後、制御装置５はタイマー回路２５のタイマーが終了後に駆動装置側に信号を送る。そうすると、当該電源２２の極性が切り替わり、マグネットモータ６の作動杆１９が伸縮し、鍵収納体４は元の位置に戻る。鍵収納体４は元の位置に戻ると、その前壁４ａが前面パネル２と同一垂直面になる。
【００３０】
なお、上記実施例に於いて、鍵収納体４はタイマー回路２５のタイマーが終了後に元の閉鎖位置に戻ることについて説明したが、必ずしもタイマー回路２５を用いる必要はなく、例えば装置本体１の前面パネル２に押しボタンなどの鍵収納体４閉鎖用スイッチを設け、このスイッチを制御装置に電気的に接続したり、また前述した内部検知器３２の検出信号を利用して直ちに鍵収納体４を閉鎖し得るようにしても良い。
【００３１】
【異なる実施例】
次に図９及び図１０に示す本発明の第２実施例につき説明する。なお、この第２実施例の説明にあたって前記本発明の第１実施例と同一の部分には同一の符号を付し、重複する説明を省略する。
【００３２】
この第２実施例の装置本体１Ａに於いて、前記実施例と主に異なる点は、駆動装置６Ａのモータ本体１５Ａを横設し、鍵収納体４Ａの後壁４ｂの中央部にその作動杆１９Ａの先端部１９ａを適宜に枢着したことである。
【００３３】
また装置本体１Ａに鍵収納体４Ａに関連し、制御装置と電気的に接続する複数個の検知器を設けた点では同様であるが、鍵収納体４Ａの位置を検知する位置検知器３１Ａは装置本体１Ａの内部フレーム１２Ａの上部側に固定的に設けられていることである。したがって、この位置検知器３１Ａに於いては、例えばその接片に鍵収納体４Ａの後壁４ｂの上部が触れると、鍵収納体４Ａが前面パネル２Ａの開口部３Ａを閉鎖した旨の信号が制御装置に送られる。
【００３４】
上記構成に於いては、駆動装置６Ａを横設するので、「管理装置の設置スペースを少なくする」と言う発明の目的を十分に達成することができないが、いわゆる電気錠ではなく、第１実施例と同じくマグネットモータ６Ａを採用しているので、構成する部品点数を少なくすることができ、また鍵収納体４Ａの底壁が開口４ｄしているので、鍵収納体４Ａにゴミが溜まらないと共に、悪戯により鍵収納体４Ａに異物が投入されても使用上問題が生じないという効果がある。
【００３５】
【発明の効果】
以上の説明から明らかなように、本発明にあっては次に列挙するような効果がある。
（１）従来の技術の欄で説明した「実開平５−１４４３７号公報の実施例の有する欠点、例えば（１）乃至（５）の少なくとも１つ」を解消することができる。
（２）鍵収納体に鍵を入れる時は鍵を単に鍵収納体の鍵穴に差し込むだけで良く、一方、鍵を鍵収納体から取出す時は鍵収納体に収納されている鍵をそのまま摘み出すだけで良い。したがって、使用者に取って非常に使い易い。
（３）しかも、鍵収納体の一側壁には、所定の鍵のみを差し込みし得る鍵穴が形成されている実施例の場合は、誤って、別の鍵を当該鍵収納体に入れてしまう心配もない。
（４）鍵収納体の前壁が、いわば前面パネルの一部を構成するので、鍵収納体のスペースを有効的に活用することができる。したがって、装置本体の奥行きを少しでも浅くすることができる（装置本体のコンパクト化）。
（５）鍵収納体は前面パネルに形成された開口部を閉鎖できるように装置本体に内装されているので、所定の大きさの前面パネルを有効的に活用しながら装置本体に多数の鍵収納体を設けることができる。
【図面の簡単な説明】
図１ないし図８は本発明の第１実施例の各説明図。図９及び図１０は本発明の第２実施例の各説明図。
【図１】第１実施例の装置本体の外観を示す斜視図。
【図２】要部の概略縦断面説明図。
【図３】要部の概略説明図（要部を裏側から見た。）。
【図４】要部の斜視図。
【図５】要部（駆動装置）の説明図。
【図６】要部の作動状態の説明図。
【図７】制御装置の一例の電気的構成を示すブロック図。
【図８】内部検知器の説明図。
【図９】第２実施例の要部の概略縦断面説明図。
【図１０】要部の作動状態の説明図。
【図１１】従来の一実施例を示す概略説明図。
【符号の説明】
１、１Ａ…装置本体、２、２Ａ…前面パネル、３、３Ａ…開口部、４、４Ａ…鍵収納体、４ａ…前壁、４ｂ…後壁、４ｃ…側壁、４ｄ…開口、４ｅ…上壁、４ｆ…アーム部、５…制御装置、６、６Ａ…駆動装置、７…入力装置、８…表示部、１２、１２Ｂ…内部フレーム、１３…鍵穴、Ｋ…鍵、１４ａ…摘み部、１４ｂ…差し込み部、１５、１５Ａ…モータ本体、１９、１９Ａ…作動杆、２０…カード挿入口、２１…点灯ランプ、２２…駆動装置用電源、２５…タイマー回路、３１…位置検出器、３２…内部検出器、３６…遮蔽板。
【図１】
0003548899.tif 000002
【図２】
0003548899.tif 000003
【図３】
0003548899.tif 000004
【図４】
0003548899.tif 000005
【図５】
0003548899.tif 000006
【図６】
0003548899.tif 000007
【図７】
0003548899.tif 000008
【図８】
0003548899.tif 000009
【図９】
0003548899.tif 000010
【図１０】
0003548899.tif 000011
【図１１】
0003548899.tif 000012